(57)【要約】 【課題】  コンピュータ通信網内で提供される情報を携帯電話等の移動体端末から適切に取得するのに好適な情報提供システム等を提供する。【解決手段】  情報提供システム１０１の移動体端末１４１がインターネットを介してサーバ装置１２１に画像要求を送ると（２０１）、サーバ装置１２１は商品の画像ファイルと当該商品の通信販売の申込を行うＵＲＬ（Universal Resource Locator）を応答し（２０２）、移動体端末１４１はこれらを記憶して画像ファイルを待ち受け画面のうちユーザに指定された位置に表示し、ユーザがいずれかの画像を選択すると、当該画像ファイルに対応付けられたＵＲＬを管理する情報提供装置１６１にフォーム要求が送られ（２０３）、情報提供装置１６１は選択された画像に対応する商品販売申込フォームを移動体端末１４１に送信して（２０４）、商品の売買が行われる。【選択図】  図２
2006178758.tif 000002
【特許請求の範囲】
【請求項１】
サーバ装置と、移動体端末とを有する情報提供システムであって、
（ａ）前記サーバ装置は、
画像ファイルをコンピュータ通信網内の情報提供場所に対応付けて記憶するサーバ記憶部、
前記移動体端末からの要求に応じて、前記記憶された画像ファイルとこれに対応付けられる情報提供場所とを当該移動体端末に送信する画像送信部
を備え、
（ｂ）前記移動体端末は、
ユーザの指定にしたがって、前記サーバ装置に画像ファイルを要求する画像要求部、
当該要求に応答して前記サーバ装置から送信された画像ファイルと情報提供場所とを受信する画像受信部、
前記受信された画像ファイルと情報提供場所とを対応付けて記憶する端末記憶部、
前記記憶された１つ以上の画像ファイルのそれぞれを、当該ユーザに指定された画面の表示位置に表示する表示部、
前記画像ファイルが表示された画面の表示位置からいずれか１つを選択する当該ユーザからの指定を受け付ける受付部、
前記受け付けられた当該ユーザからの指定により選択された画面の表示位置に表示される画像ファイルに対応付けられて前記端末記憶部に記憶される情報提供場所を取得し、コンピュータ通信網内の当該取得された情報提供場所から情報を取得して画面に表示する情報表示部
を備える
ことを特徴とするもの。
【請求項２】
画像ファイルを情報提供場所に対応付けて記憶するサーバ記憶部、前記移動体端末からの要求に応じて、前記記憶された画像ファイルとこれに対応付けられる情報提供場所とを当該移動体端末に送信する画像送信部を有するサーバ装置と通信する移動体端末であって、
ユーザの指定にしたがって、前記サーバ装置に画像ファイルを要求する画像要求部、
当該要求に応答して前記サーバ装置から送信された画像ファイルと情報提供場所とを受信する画像受信部、
前記受信された画像ファイルと情報提供場所とを対応付けて記憶する端末記憶部、
前記記憶された１つ以上の画像ファイルのそれぞれを、当該ユーザに指定された画面の表示位置に表示する表示部、
前記画像ファイルが表示された画面の表示位置からいずれか１つを選択する当該ユーザからの指定を受け付ける受付部、
前記受け付けられた当該ユーザからの指定により選択された画面の表示位置に表示される画像ファイルに対応付けられて前記端末記憶部に記憶される情報提供場所から情報を取得して画面に表示する情報表示部
を備える
ことを特徴とするもの。
【請求項３】
コンピュータを、請求項２に記載の移動体端末の各部として機能させることを特徴とするプログラム。
【発明の詳細な説明】
【技術分野】
【０００１】
本発明は、コンピュータ通信網内で提供される情報を移動体端末から適切に取得するのに好適な情報提供システム、移動体端末、ならびに、当該移動体端末をコンピュータ上に実現するためのプログラムに関する。
【背景技術】
【０００２】
従来から、インターネットを利用して、各種の広告情報を提供する技術が利用されている。このような広告情報システムは、以下の文献に開示されている。
【特許文献１】特開２００４−０３８３７１号公報
【０００３】
本文献に開示される技術は以下の通りである。出力装置の印刷サンプルとして、車、食品、旅行などの広告スポンサーのＣＭ画像を予め準備し、印刷装置が販売されている店舗や展示会場において、来店者の関心がある広告画像を印刷サンプルとして配布する。媒体広告を定量的に把握するために、インターネットに接続した携帯電話やパーソナルコンピュータから容易にレスポンスを入力できるシステムを構築し、印刷サンプルのＣＭ画像と併せてレスポンス入力の案内を告知する。
【０００４】
一方で、携帯電話の待ち受け画面を広告表示の媒体として利用したいという要望は大きい。
【発明の開示】
【発明が解決しようとする課題】
【０００５】
したがって、携帯電話の利用者が容易に待ち受け画面を自分好みに設計できるようにする一方で、できあがった待ち受け画面を広告提供に結び付けるような技術が強く望まれている。
【０００６】
本発明は、コンピュータ通信網内で提供される情報を携帯電話等の移動体端末から適切に取得するのに好適な情報提供システム、移動体端末、ならびに、当該移動体端末をコンピュータ上に実現するためのプログラムを提供することを目的とする。
【課題を解決するための手段】
【０００７】
以上の目的を達成するため、本発明の原理にしたがって、下記の発明を開示する。
【０００８】
本発明の第１の観点に係る情報提供システムは、サーバ装置と、移動体端末とを有し、以下のように構成する。
【０００９】
まず、サーバ装置は、サーバ記憶部、画像送信部を備える。
【００１０】
ここで、サーバ記憶部は、画像ファイルをコンピュータ通信網内の情報提供場所に対応付けて記憶する。
【００１１】
一方、画像送信部は、移動体端末からの要求に応じて、記憶された画像ファイルとこれに対応付けられる情報提供場所とを当該移動体端末に送信する。
【００１２】
また、移動体端末は、画像要求部、画像受信部、端末記憶部、表示部、受付部、情報表示部を備える。
【００１３】
ここで、画像要求部は、ユーザの指定にしたがって、サーバ装置に画像ファイルを要求する。
【００１４】
一方、画像受信部は、当該要求に応答してサーバ装置から送信された画像ファイルと情報提供場所とを受信する。
【００１５】
さらに、端末記憶部は、受信された画像ファイルと情報提供場所とを対応付けて記憶する。
【００１６】
そして、表示部は、記憶された１つ以上の画像ファイルのそれぞれを、当該ユーザに指定された画面の表示位置に表示する。
【００１７】
一方、受付部は、画像ファイルが表示された画面の表示位置からいずれか１つを選択する当該ユーザからの指定を受け付ける。
【００１８】
さらに、情報表示部は、受け付けられた当該ユーザからの指定により選択された画面の表示位置に表示される画像ファイルに対応付けられて端末記憶部に記憶される情報提供場所を取得し、コンピュータ通信網内の当該取得された情報提供場所から情報を取得して画面に表示する。
【００１９】
本発明のその他の観点に係る移動体端末は、上記情報提供システムにおける移動体端末である。
【００２０】
本発明のその他の観点に係るプログラムは、コンピュータを、上記移動体端末として機能させるように構成する。
【００２１】
本発明のプログラムは、携帯電話等にダウンロードして当該携帯電話で実行可能であるほか、コンピュータとは独立して、コンピュータ通信網、無線通信網、電話通信網等を介して配布・販売することができる。また、これらを記録した情報記録媒体も当該コンピュータとは独立して配布・販売することができる。
【発明の効果】
【００２２】
本発明によれば、コンピュータ通信網内で提供される情報を携帯電話等の移動体端末から適切に取得するのに好適な情報提供システム、移動体端末、ならびに、当該移動体端末をコンピュータ上に実現するためのプログラムを提供することができる。
【発明を実施するための最良の形態】
【００２３】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【実施例１】
【００２４】
図１は、本発明の情報提供システムの実施形態に係る概要構成を示す模式図である。以下、本図を参照して説明する。
【００２５】
本発明の情報提供システム１０１では、サーバ装置１２１と、移動体端末１４１と、情報提供装置１６１と、がインターネット１８１を介して通信可能に接続されている。これらの接続には、有線ＬＡＮ／ＷＡＮによるもの、無銭ＬＡＮによるもの、赤外線によるもの、電話通信網を用いるもの等、任意の接続手法を採用することができる。
【００２６】
ここで、サーバ装置１２１と、情報提供装置１６１とを、同じ機器上に実現するような構成を採用しても良いが、理解を容易にするため、以下では、別の機器がサーバ装置１２１ならびに情報提供装置１６１として機能する例をあげて、説明する。
【００２７】
図２は、本実施形態の情報提供システムに係る通信の様子を示すセッション図である。以下、本図を参照して説明する。
【００２８】
本図に示すように、移動体端末１４１が、サーバ装置１２１のそれぞれに画像ファイルを要求すると（２０１）、各サーバ装置１２１からは、画像ファイルと情報提供場所と対応付けられて送信される（２０２）。
【００２９】
情報提供場所の情報は、典型的には、当該画像ファイルに示される画像に関連する情報を提供する情報提供装置１６１のＵＲＬ（Universal Resource Locator）によって表現される。典型的には、画像ファイルに示される画像は、各種の商品を示すやコンテンツを示すものであるが、これに限られない。
【００３０】
移動体端末１４１は、受信した画像ファイルと情報提供場所を対応付けて記憶し、ユーザの指定によって、画像ファイルを待ち受け画面に配置する。これによって、ユーザは、自分の好きな画像を用いて待ち受け画面を自由にデザインすることができる。
【００３１】
図３は、画像配置モードにおいて、画像ファイルが待ち受け画面上に配置される様子を示す説明図である。以下、本図を参照して説明する。
【００３２】
移動体端末１４１は、典型的にはカメラ付き携帯電話であり、待ち受け画面３０１の背景画像３０２としては、携帯電話付属のカメラで撮影した画像や、あらかじめ用意された画像、インターネット１８１等からダウンロードした画像等、任意のものを採用することができる。本図（ａ）では、ある部屋の様子を示す画像が背景画像３０２として採用され、ほかの画像がまだダウンロードされていない状態が示されている。
【００３３】
本図（ｂ）には、サーバ装置１２１からダウンロードした３つの画像が表示されている。すなわち、花が生けられた花瓶の画像３０３、絵画と額縁の画像３０４、テーブルの画像３０５である。
【００３４】
これらの画像３０３、３０４、３０５には、当該花瓶セットを花屋から通信販売で購入する窓口となる情報提供装置１６１のＵＲＬ、絵画と額縁のセットを画廊から通信販売で購入する窓口となる情報提供装置１６１のＵＲＬ、テーブルを家具屋から通信販売で購入する窓口となる情報提供装置１６１のＵＲＬがそれぞれ対応付けられており、画像ファイルとＵＲＬとは、移動体端末１４１内で対応付けられて記憶されることになる。
【００３５】
本図（ｃ）は、ユーザの指定により、背景画像３０２の上に、花が生けられた花瓶の画像３０３、絵画と額縁の画像３０４、テーブルの画像３０５を配置した例である。各画像３０３、３０４、３０５の商品以外の部分は透過色で描かれているので、重ね合わせた場合にも不自然とならない。ユーザは、自分の部屋をインテリアデザインするような感覚で、これらの画像を配置することができる。
【００３６】
配置操作の指示手法については、種々の公知のＧＵＩ技術を採用することができる。たとえば、サーバ装置１２１から画像ファイルをダウンロードすると、その画像は、直ちに待ち受け画面３０１の中央最前面に表示され、移動体端末１４１は、画像配置モードになる。ユーザは、携帯電話が備える方向キーを用いて当該画像の表示位置を所望の位置に移動した後に、方向キーの中央に配置される決定キーを用いて当該位置に決定する、という具合である。
【００３７】
さて、ユーザは、待ち受け画面３０１内に一旦配置された画像３０３、３０４、３０５から、いずれか１つを選択する指示入力を行う。図４は、このような画像選択モードにおいて指示入力を行う様子を説明する説明図である。
【００３８】
画像選択モードへの移行は、携帯電話が備えるメニューボタンを利用する。メニューボタンを押圧操作して画像選択メニューを選択すると、本図（ａ）〜（ｃ）のように、一旦配置した画像３０３、３０４、３０５のいずれかがハイライト表示される。本図（ａ）〜（ｃ）では、画像の輪郭線を太く表示することによってハイライト表示としているが、色の反転を行ったり、点滅表示を行う等の手法によっても良い。ハイライト表示される画像は、方向キーを用いて適宜切り替えることができる。
【００３９】
そして、所望の画像がハイライト表示されることとなったら、方向キーの中央に配置される決定キーを押圧操作する。すると、移動体端末１４１は、現在ハイライト表示されている画像の画像ファイルに対応付けられて記憶されているＵＲＬを取得し、当該ＵＲＬをオープンするように、携帯電話が備えるウェブブラウザに指示を出す。
【００４０】
すると、移動体端末１４１は、指定された情報提供装置１６１に、通信販売の情報を提供するように要求し（２０３）、情報提供装置１６１から移動体端末１４１には、通信販売用のフォームが送信され（２０４）、当該フォームが、携帯電話の備えるウェブブラウザで表示される。
【００４１】
ユーザが当該フォームに必要事項を入力すると、ウェブブラウザは情報提供装置１６１に通信販売の申込を要求し（２０５）、情報提供装置１６１で通信販売の決済を行って、申込を受け付けた旨を移動体端末１４１に送信するのである（２０６）。
【００４２】
なお、画像選択モードで所望の画像がハイライト表示されることとなった時点で、もう一度メニューボタンを押圧操作すると、メニュー項目として「画像位置移動」「画像削除」「画像を最前面に出す」などが表示される。
【００４３】
「画像位置移動」メニューを選択すると、画像配置モードに移行し、選択された画像の表示位置を再度設定することができる。上記と同様に、方向キーを使用して当該画像の位置を変更した後に、決定キーを押圧操作すれば良い。
【００４４】
「画像削除」メニューを選択すると、選択された画像の表示をやめることができる。これによって、当該画像ファイルや対応付けられるＵＲＬも、移動体端末１４１の記憶装置から削除され、空き容量を増やすことができる。
【００４５】
「画像を最前面に出す」メニューを選択すると、選択された画像を一番手前に表示して他の画像よりも上にすることができる。重ね合う位置にある画像を配置するのに便利である。
【００４６】
また、移動体端末１４１でのユーザの操作体系については、上記と同等な種々の体系を任意に採用することができ、いずれも本発明の範囲に含まれる。
【００４７】
（サーバ装置）
図５は、本実施形態に係るサーバ装置の概要構成を示す模式図である。以下、本図を参照して説明する。
【００４８】
サーバ装置１２１は、サーバ記憶部５０１、画像送信部５０２を備える。
【００４９】
サーバ記憶部５０１は、画像ファイルをコンピュータ通信網内の情報提供場所に対応付けて記憶する。
【００５０】
上記のように、販売対象となる商品の画像や、提供される商品・サービスに関するロゴマーク、各種の宣伝文句などの画像がトリミングされた状態で記憶されている。
【００５１】
そして、情報提供装置１６１において商品等を通信販売しようとする商店主等の要望に応じて、各画像ファイルとその画像ファイルによって示される商品等の購入ができるフォームへアクセスするためのＵＲＬとが対応付けられて記憶されている。
【００５２】
一方、画像送信部５０２は、移動体端末１４１からの要求に応じて、記憶された画像ファイルとこれに対応付けられる情報提供場所とを当該移動体端末１４１に送信する。
【００５３】
上述のように、当該要求は、インターネット１８１等のコンピュータ通信網を介して移動体端末１４１から送られ、画像ファイルやＵＲＬ等の情報もまた、インターネット１８１等のコンピュータ通信網を介して移動体端末１４１へ送信される。
【００５４】
この際に、サーバ装置１２１では、どの画像データをいつ、どの移動体端末１４１に送信したか、の送信記録を保存しておくことが望ましい。この送信記録は、商品のマーケティングや広告料の算定基準として使用することができる。
【００５５】
（移動体端末）
図６は、本実施形態に係る移動体端末の概要構成を示す模式図である。以下、本図を参照して説明する。
【００５６】
移動体端末１４１は、画像要求部６０１、画像受信部６０２、端末記憶部６０３、表示部６０４、受付部６０５、情報表示部６０６を備える。
【００５７】
ここで、画像要求部６０１は、ユーザの指定にしたがって、サーバ装置１２１に画像ファイルを要求する。
【００５８】
典型的には、移動体端末１４１を構成する携帯電話のウェブブラウザや携帯電話上で動作するネットワークアプリケーションを使用して、サーバ装置１２１が提供するウェブページやカタログファイルにアクセスし、当該ウェブページ等に設定された所定のリンクを選択することによって、当該要求が行われる。
【００５９】
一方、画像受信部６０２は、当該要求に応答してサーバ装置１２１から送信された画像ファイルと情報提供場所とを受信する。
【００６０】
上記のように、携帯電話のウェブブラウザやネットワークアプリケーションは、上記リンクの選択によってサーバ装置１２１から送信されることとなる画像ファイルおよびＵＲＬの情報をダウンロードするのである。これらの情報は、種々のアーカイブ形式を用いて、一括してダウンロードされることが望ましい。
【００６１】
さらに、端末記憶部６０３は、受信された画像ファイルと情報提供場所とを対応付けて記憶する。
【００６２】
端末記憶部６０３は、携帯電話が備えるフラッシュＲＯＭ（Read Only Memory）、ＥＥＰＲＯＭ（Electrically Erasable Programmable ROM）、バッテリバックアップされたＲＡＭ（Random Access Memory）、ＳＲＡＭ（Static RAM）や、外部記憶媒体など、種々の記憶装置を利用することができる。画像ファイルとＵＲＬとの対応付けの手法としては、拡張子以外を同名のファイルとする手法、画像ファイル自体のコメントフィールドにＵＲＬを埋め込むなどの手法などが採用できる。
【００６３】
そして、表示部６０４は、記憶された１つ以上の画像ファイルのそれぞれを、当該ユーザに指定された画面の表示位置に表示する。
【００６４】
なお、この際には、ダウンロードした画像ファイルのいずれか１つを背景画像としたり、携帯電話に付属するカメラで撮影した風景を背景画像とすることができるようにすることが望ましい。カメラで撮影した写真も、上記端末記憶部６０３に記憶される。
【００６５】
また、上記のように、画像配置モードでは、ユーザは、複数の画像ファイルのそれぞれについて、その表示位置を指定することができるほか、画像ファイルの重なり具合を設定することもできる。
【００６６】
一方、受付部６０５は、画像ファイルが表示された画面の表示位置からいずれか１つを選択する当該ユーザからの指定を受け付ける。
【００６７】
上記のように、画像選択モードでは、ユーザの入力操作によって、いずれかの画像ファイルが１つ選択されるのである。
【００６８】
さらに、情報表示部６０６は、受け付けられた当該ユーザからの指定により選択された画面の表示位置に表示される画像ファイルに対応付けられて端末記憶部６０３に記憶される情報提供場所を取得し、コンピュータ通信網内の当該取得された情報提供場所から情報を取得して画面に表示する。
【００６９】
すなわち、情報表示部６０６は、選択された画像ファイルに対応付けられるＵＲＬを開くように、携帯電話のウェブブラウザに指示を出す。すると、ウェブブラウザは、ＵＲＬに指定される情報提供装置１６１にページ要求を出す。情報提供装置１６１は、通信販売の申込フォームを携帯電話に対して送付するので、ウェブブラウザは、それを画面に表示するのである。このほか、通信販売申込フォーム送付以降の決済の処理は、通常の電子商取引におけるものと同等のものを採用することができる。
【００７０】
（情報提供装置）
情報提供装置１６１は、移動体端末１４１用の通信販売サーバであり、ここで取り扱う商品の画像とそのＵＲＬがサーバ装置１２１に登録されている点を除けば、従来から利用されているインターネット用通信販売サーバや携帯電話用の通信販売サーバをそのまま利用することができる。
【実施例２】
【００７１】
以下では、上記実施形態の変形例を示す。
【００７２】
まず、サーバ装置１２１に画像ファイルを直接記憶させるのではなく、サーバ装置１２１には、「画像ファイルが記憶されている情報提供装置１６１のＵＲＬ」と「情報提供装置１６１で通信販売を申し込むためのフォームのＵＲＬ」とを、それぞれ、画像ファイルおよび情報提供場所として、記憶させることとしても良い。
【００７３】
この場合は、サーバ装置１２１に移動体端末１４１から画像の要求があると、サーバ装置１２１は、画像ファイルのＵＲＬと通信販売フォームのＵＲＬとを移動体端末１４１に送信し、移動体端末１４１は、受信した画像ファイルのＵＲＬを指定して情報提供装置１６１に画像ファイルを要求し、画像ファイルをダウンロードすることとなる。
【００７４】
この他、サーバ装置１２１に、『「画像ファイルのＵＲＬと通信販売フォームのＵＲＬ」とを提供する情報提供装置１６１のＵＲＬ』を記憶させることとしても良い。この場合、サーバ装置１２１は、画像（商品）カタログサーバとして機能することとなり、移動体端末１４１は、これを見て所望の画像を必要な情報提供装置１６１からダウンロードすることとなる。
【００７５】
さらに、画像の提供を行うサーバ（サーバ装置１２１）と通信販売を行うサーバ（情報提供装置１６１）とを一体に構成することとしても良い。
【産業上の利用可能性】
【００７６】
以上説明したように、本発明によれば、コンピュータ通信網内で提供される情報を携帯電話等の移動体端末１４１から適切に取得するのに好適な情報提供システム、移動体端末１４１、ならびに、当該移動体端末１４１をコンピュータ上に実現するためのプログラムを提供することができる。
【図面の簡単な説明】
【００７７】
【図１】本発明の情報提供システムの実施形態に係る概要構成を示す模式図である。
【図２】本実施形態の情報提供システムに係る通信の様子を示すセッション図である。
【図３】画像配置モードにおいて、画像ファイルが待ち受け画面上に配置される様子を示す説明図である。
【図４】画像選択モードにおいて指示入力を行う様子を説明する説明図である。
【図５】本実施形態に係るサーバ装置の概要構成を示す模式図である。
【図６】本実施形態に係る移動体端末の概要構成を示す模式図である。
【符号の説明】
【００７８】
１０１  情報提供システム
１２１  サーバ装置
１４１  移動体端末
１６１  情報提供装置
１８１  インターネット
５０１  サーバ記憶部
５０２  画像送信部
６０１  画像要求部
６０２  画像受信部
６０３  端末記憶部
６０４  表示部
６０５  受付部
６０６  情報表示部
【図１】
2006178758.tif 000003
【図２】
2006178758.tif 000004
【図３】
2006178758.tif 000005
【図４】
2006178758.tif 000006
【図５】
2006178758.tif 000007
【図６】
2006178758.tif 000008